(57)【特許請求の範囲】
【請求項１】
ユーザエージェントであって、
ランダムアクセスチャネル（ＲＡＣＨ）プリアンブルのＲＡＣＨ上での伝送を促進して、該ユーザエージェントのアクセスノードへの連結を促進するように構成されているプロセッサを備え、
該プリアンブルは、該アクセスノードへの伝送専用であるプリアンブルの第１のカテゴリに属し、該プロセッサは、メッセージの該アクセスノードへの伝送を促進するようにさらに構成され、該メッセージは、該ユーザエージェントが転送され得る１つ以上の中継ノードの識別子を含み、該プロセッサは、該アクセスノードに、該ユーザエージェントを該中継ノードのうちの１つにハンドオーバするように要求し、要求後、第２のＲＡＣＨプリアンブルの伝送を促進して、該ユーザエージェントの該中継ノードのうちの１つへの連結を促進するようにさらに構成され、該第２のＲＡＣＨプリアンブルは、該中継ノードのうちの１つへの伝送専用であるＲＡＣＨプリアンブルの第２のカテゴリに属している、
ユーザエージェント。
【請求項２】
前記プロセッサは、
前記メッセージの伝送に先立って、前記１つ以上の中継ノードからの信号を測定することによって、該１つ以上の中継ノードを識別するようにさらに構成されている、請求項１に記載のユーザエージェント。
【請求項３】
前記信号を測定することは、前記信号の電力測定を測定することを含む、請求項２に記載のユーザエージェント。
【請求項４】
前記メッセージは、拡張無線リソース制御（ＲＲＣ）測定報告メッセージを含む、請求項１〜３のいずれかに記載のユーザエージェント。
【請求項５】
前記メッセージは、測定報告メッセージと異なる新しい無線リソース制御メッセージを含む、請求項１〜４のいずれかに記載のユーザエージェント。
【請求項６】
前記第２のプリアンブルは、前記アクセスノードによって割り当てられる専用プリアンブルである、請求項１から５のいずれかに記載のユーザエージェント。
【請求項７】
ユーザエージェントに実装される方法であって、
ランダムアクセスチャネル（ＲＡＣＨ）プリアンブルをＲＡＣＨ上で伝送し、アクセスノードへの連結を促進することであって、該ＲＡＣＨプリアンブルは、該アクセスノードへの伝送専用であるプリアンブルの第１のカテゴリに属している、ことと、
該アクセスノードに連結することと、
メッセージを該アクセスノードに伝送することであって、該メッセージは、該ユーザエージェントが転送され得る１つ以上の中継ノードの識別子を含む、ことと、
該アクセスノードに、該ユーザエージェントを該中継ノードのうちの１つにハンドオーバすることを要求することと、
要求後、第２のＲＡＣＨプリアンブルを伝送し、該中継ノードのうちの１つへの連結を促進することと、
その後、該ユーザエージェントを該中継ノードのうちの１つへ連結することと
を含み、
該第２のＲＡＣＨプリアンブルは、該中継ノードのうちの１つへの伝送専用であるプリアンブルの第２のカテゴリに属している、方法。
【請求項８】
前記メッセージは、測定報告メッセージと異なる新しい無線リソース制御メッセージを含む、請求項７に記載の方法。
【請求項９】
前記第２のＲＡＣＨプリアンブルは、前記アクセスノードによって割り当てられる専用プリアンブルである、請求項７および８のいずれかに記載の方法。
【請求項１０】
アクセスノードであって、
ランダムアクセスチャネル（ＲＡＣＨ）プリアンブルをＲＡＣＨ上でユーザエージェントから受信し、該ユーザエージェントの該アクセスノードへの連結を促進するように構成されているプロセッサを備え、
該ＲＡＣＨプリアンブルは、該アクセスノードによる受信専用であるＲＡＣＨプリアンブルの第１のカテゴリに属し、該プロセッサは、メッセージを該ユーザエージェントから受信するようにさらに構成され、該メッセージは、該ユーザエージェントが転送され得る１つ以上の中継ノードの識別子を含み、該プロセッサは、要求を該ユーザエージェントから受信し、該ユーザエージェントを該中継ノードのうちの１つにハンドオーバするようにさらに構成され、該プロセッサは、該ユーザエージェントに、該ユーザエージェントが該中継ノードのうちの１つに連結する場合に使用するための第２のＲＡＣＨプリアンブルを割り当てるようにさらに構成され、該第２のＲＡＣＨプリアンブルは、該中継ノードのうちの１つによる受信専用であるＲＡＣＨプリアンブルの第２のカテゴリに属している、
アクセスノード。
【請求項１１】
前記メッセージは、前記１つ以上の中継ノードから受信される前記ユーザエージェントへの信号の強度を示す少なくとも１つの電力測定をさらに含む、請求項１０に記載のアクセスノード。
【請求項１２】
前記メッセージは、拡張無線リソース制御（ＲＲＣ）測定報告メッセージをさらに含む、請求項１０または１１に記載のアクセスノード。
【請求項１３】
前記メッセージは、測定報告メッセージと異なる新しい無線リソース制御メッセージをさらに含む、請求項１０から１２のいずれかに記載のアクセスノード。
【請求項１４】
前記プロセッサは、
前記ユーザエージェントの前記中継ノードのうちの１つへのハンドオーバを促進するようにさらに構成されている、請求項１０から１３のいずれかに記載のアクセスノード。
【請求項１５】
前記プロセッサは、
前記ＲＡＣＨプリアンブルの複数のカテゴリを、ＲＡＣＨプリアンブルの前記第１のカテゴリと前記第２のカテゴリとに分割するようにさらに構成されている、請求項１０から１４のいずれかに記載のアクセスノード。
【請求項１６】
前記プロセッサは、
前記ユーザエージェントの前記中継ノードのうちの１つへのハンドオーバ前に、該中継ノードが前記ＲＡＣＨプリアンブルを受信した報告を該中継ノードから受信するようにさらに構成されている、請求項１４に記載のアクセスノード。
【請求項１７】
アクセスノードに実装される方法であって、
ランダムアクセスチャネル（ＲＡＣＨ）プリアンブルをＲＡＣＨ上でユーザエージェントから受信することであって、該ＲＡＣＨプリアンブルは、該アクセスノードによる受信専用であるＲＡＣＨプリアンブルの第１のカテゴリに属している、ことと、
該ユーザエージェントを該アクセスノードに連結することと、
メッセージを該ユーザエージェントから受信することであって、該メッセージは、該ユーザエージェントが転送され得る１つ以上の中継ノードの識別子を含む、ことと、
該ユーザエージェントを該中継ノードのうちの１つにハンドオーバするための要求を該ユーザエージェントから受信することと、
該ユーザエージェントに、該ユーザエージェントが該中継ノードのうちの１つに連結する場合に使用するための第２のＲＡＣＨプリアンブルを割り当てることと
を含み、
該第２のＲＡＣＨプリアンブルは、該中継ノードのうちの１つによる受信専用であるＲＡＣＨプリアンブルの第２のカテゴリに属している、方法。
【請求項１８】
前記プリアンブルの複数のカテゴリを、ＲＡＣＨプリアンブルの前記第１のカテゴリと前記第２のカテゴリとに分割することをさらに含む、請求項１７に記載の方法。
【請求項１９】
前記中継ノードのうちの１つに連結する場合に使用するための前記割り当てられた第２の専用ＲＡＣＨプリアンブルの表示を前記ユーザエージェントに信号伝達することをさらに含む、請求項１７または１８に記載の方法。
【請求項２０】
プロセッサを備えている中継ノードであって、
該プロセッサは、
ランダムアクセスチャネル（ＲＡＣＨ）プリアンブルをＲＡＣＨ上でユーザエージェントから受信することであって、該ＲＡＣＨプリアンブルは、該ユーザエージェントの一時的ランダムアクセス識別を示す、ことと、
該ＲＡＣＨプリアンブルが該中継ノードによる受信専用であるＲＡＣＨプリアンブルの第１のカテゴリ内にある場合のみ、該ＲＡＣＨプリアンブルを許可することであって、該ＲＡＣＨプリアンブルの第１のカテゴリは、アクセスノードによる受信専用であるＲＡＣＨプリアンブルの第２のカテゴリとは異なる、ことと、
該ＲＡＣＨプリアンブルをＲＡＣＨ上で該アクセスノードに転送することと
を行うように構成されている、中継ノード。
【請求項２１】
前記プロセッサは、前記一時的ランダムアクセス識別を伴うメッセージを前記アクセスノードに送信することによって、前記ＲＡＣＨプリアンブルを転送するように構成されている、請求項２０に記載の中継ノード。
【請求項２２】
前記プロセッサは、
前記ＵＡが前記中継ノードに連結可能であることを判断した連結メッセージを前記アクセスノードから受信することと、
前記ユーザエージェントに、該連結メッセージ転送することであって、該連結メッセージは、該ユーザエージェントに、該中継ノードに連結することを命令するように構成されている、ことと
を行うようにさらに構成されている、請求項２０または２１に記載の中継ノード。
【請求項２３】
前記プロセッサは、無線リソース制御（ＲＲＣ）以外のメッセージタイプおよび確認応答方式を使用して、前記ＲＡＣＨプリアンブルを転送するようにさらに構成されている、請求項２０、２１、または２２のいずれかに記載の中継ノード。
【請求項２４】
前記プロセッサは、
タイミング整合値を計算することと、
該タイミング整合値を前記アクセスノードに伝送することと
を行うようにさらに構成されている、請求項２０、２１、または２３のいずれかに記載の中継ノード。
【請求項２５】
前記プロセッサは、
前記タイミング整合値を前記ユーザエージェントに伝送するようにさらに構成されている、請求項２４に記載の中継ノード。
【請求項２６】
前記プロセッサは、
メッセージを前記アクセスノードに伝送するようにさらに構成され、該メッセージは、該中継ノードが前記ＲＡＣＨプリアンブルを受信した表示を含む、請求項２０、または２１から２５のいずれかに記載の中継ノード。
【請求項２７】
前記メッセージは、前記ユーザエージェントの識別をさらに含む、請求項２６に記載の中継ノード。
【請求項２８】
前記メッセージは、チャネル状態情報をさらに含む、請求項２６または２７に記載の中継ノード。
【請求項２９】
中継ノードに実装される方法であって、
ランダムアクセスチャネル（ＲＡＣＨ）プリアンブルをＲＡＣＨ上でユーザエージェントから受信することであって、該ＲＡＣＨプリアンブルは、該ユーザエージェントの一時的ランダムアクセス識別を示す、ことと、
該ＲＡＣＨプリアンブルが該中継ノードによる受信専用であるＲＡＣＨプリアンブルの第１のカテゴリ内にある場合のみ、該ＲＡＣＨプリアンブルを許可することであって、該ＲＡＣＨプリアンブルの第１のカテゴリは、アクセスノードによる受信専用であるＲＡＣＨプリアンブルの第２のカテゴリとは異なる、ことと、
該ＲＡＣＨプリアンブルをＲＡＣＨ上でアクセスノードに転送することと
を含む、方法。
【請求項３０】
コンピューティングデバイスのプロセッサによって実行可能なコンピュータ読み取り可能命令を格納するコンピュータ読み取り可能媒体であって、該命令は、該デバイスに、請求項７、８、９、１７から１９、または２９に記載のいずれかの方法を実装させる、コンピュータ読み取り可能媒体。
【発明の詳細な説明】
【背景技術】
【０００１】
本明細書で使用される場合、用語「ユーザエージェント」および「ＵＡ」は、ある場合には、携帯電話、携帯端末、携帯式またはラップトップコンピュータ、および電気通信能力を有する類似デバイス等のモバイルデバイスを指す場合がある。そのようなＵＡは、加入者識別モジュール（ＳＩＭ）アプリケーション、汎用加入者識別モジュール（ＵＳＩＭ）アプリケーション、または可撤性ユーザ識別モジュール（Ｒ-ＵＩＭ）アプリケーションを含む、汎用集積回路カード（ＵＩＣＣ）等のＵＡおよびその関連付けられた可撤性メモリモジュールから成る場合があるが、それらに限定されない。代替として、そのようなＵＡは、そのようなモジュールを伴わずに、デバイス単体から成る場合がある。他の場合には、用語「ＵＡ」は、デスクトップコンピュータ、セットトップボックス、またはネットワーク機器等の類似能力を有するが、可搬性ではない、デバイスを指す場合がある。また、用語「ＵＡ」は、ユーザのための通信セッションを終了させることが可能な、任意のハードウェアまたはソフトウェア構成要素を指し得る。また、用語「ユーザエージェント」、「ＵＡ」、「ユーザ機器」、「ＵＥ」、「ユーザデバイス」、および「ユーザノード」は、本明細書では、互換的に使用される場合がある。
【０００２】
電気通信技術の進歩に伴って、以前は不可能であったサービスを提供可能な、より高度なネットワークアクセス機器が導入されてきている。本ネットワークアクセス機器は、従来の無線電気通信システムにおける同等機器の改良である、システムおよびデバイスを含む場合がある。そのような高度または次世代機器は、ロングタームエボリューション（ＬＴＥ）等の発展的無線通信規格に含まれ得る。例えば、ＬＴＥシステムは、拡張ノードＢ（ｅＮＢ）、無線アクセスポイント、または従来の基地局ではない類似構成要素を含む場合がある。本明細書で使用されるように、用語「アクセスノード」は、ＵＡまたは中継ノードの電気通信システム内の他の構成要素へのアクセスを可能にする、受信および伝送範囲の地理的面積を生成する、従来の基地局、無線アクセスポイント、またはＬＴＥ  ｅＮＢ等の無線ネットワークの任意の構成要素を指す。本書では、用語「アクセスノード」および「アクセスノード」は、互換的に使用され得るが、アクセスノードは、複数のハードウェアおよびソフトウェアを備え得ることを理解されたい。
【０００３】
用語「アクセスノード」は、アクセスノードまたは別の中継ノードによって生成される範囲を拡張あるいは増進させるように構成される、無線ネットワーク内の構成要素である、「中継ノード」を指すわけではない。アクセスノードおよび中継ノードは両方とも、無線通信ネットワーク内に存在し得る、無線構成要素であって、用語「構成要素」および「ネットワークノード」は、アクセスノードまたは中継ノードを指し得る。構成要素は、その構成および設置に応じて、アクセスノードまたは中継ノードとして動作する場合があることを理解されたい。しかしながら、構成要素は、アクセスノードの無線範囲が、無線通信システム内の他の構成要素にアクセスすることを要求する場合のみ、「中継ノード」と呼ばれる。加えて、２つ以上の中継ノードは、アクセスノードによって生成される範囲を拡張または増進させるために、直列的に使用され得る。
【０００４】
ＬＴＥシステムは、ＵＡとネットワークノードまたは他のＬＴＥ機器との間の無線リソースの割当、構成、および解放に関与する、無線リソース制御（ＲＲＣ）プロトコル等のプロトコルを含み得る。ＲＲＣプロトコルについては、第３世代パートナーシッププロジェクト（３ＧＰＰ）技術仕様（ＴＳ）３６．３３１に詳述されている。ＲＲＣプロトコルによると、ＵＡのための２つの基礎ＲＲＣモードは、「アイドルモード」および「接続モード」として定義される。接続モードまたは状態の間、ＵＡは、信号をネットワークと交換し、他の関連動作を行い得る一方、アイドルモードまたは状態の間、ＵＡは、その接続モード動作の少なくとも一部を停止し得る。アイドルおよび接続モード挙動については、３ＧＰＰ  ＴＳ  ３６．３０４およびＴＳ  ３６．３３１に詳述されている。
【０００５】
ＵＡ、中継ノード、およびアクセスノード間でデータを搬送する信号は、周波数、時間、およびコーディングパラメータ、ならびにネットワークノードによって指定される場合がある他の特性を有し得る。そのような特性の特有の集合を有する、これらの要素のいずれか間の接続は、リソースと称され得る。用語「リソース」、「通信接続」、「チャネル」、および「通信リンク」は、本明細書では、同義的に使用される場合がある。ネットワークノードは、典型的には、各ＵＡまたは任意の特定の時間に通信する他のネットワークノードのために、異なるリソースを確立する。
【発明の概要】
【課題を解決するための手段】
【０００６】
初めに、本開示の１つ以上の実施形態の例証的実装が後述されるが、開示されるシステムおよび／または方法は、現在既知または存在するかどうかにかかわらず、任意の数の技術を使用して、実装され得ることを理解されたい。本開示は、本明細書に例証および説明される例示的設計および実装を含め、以下に例証される例証的実装、図面、ならびに技術にいかようにも限定されるものではなく、添付の請求項の範囲とともに、それらの均等物の全範囲内において修正され得る。
【０００７】
本開示のより完全な理解のために、付随の図面および発明を実施するための形態と併せて、以下の簡単な説明を参照する（類似参照番号は、類似部品を表す）。
本発明はさらに、例えば、以下を提供する。
（項目１）
ユーザエージェントであって、
プリアンブルのランダムアクセスチャネル（ＲＡＣＨ）上でのアクセスノードへの伝送を促進して、該ユーザエージェントの該アクセスノードへの連結を促進するように構成されるプロセッサを備え、該プロセッサは、メッセージの該アクセスノードへの伝送を促進するようにさらに構成され、該メッセージは、該ユーザエージェントが転送され得る１つ以上の中継ノードの識別子を含み、該プロセッサは、該アクセスノードに、該ユーザエージェントを該中継ノードのうちの１つにハンドオーバするように要求するようにさらに構成される、ユーザエージェント。
（項目２）
前記プロセッサは、
前記メッセージの伝送に先立って、前記１つ以上の中継ノードからの信号を測定することによって、該１つ以上の中継ノードを識別するようにさらに構成される、項目１に記載のユーザエージェント。
（項目３）
信号を測定することは、前記信号の電力測定を測定することを含む、項目２に記載のユーザエージェント。
（項目４）
前記メッセージは、拡張無線リソース制御（ＲＲＣ）測定報告メッセージを含む、項目１〜３のいずれかに記載のユーザエージェント。
（項目５）
前記メッセージは、測定報告メッセージと異なる新しい無線リソース制御メッセージを含む、項目１〜４のいずれかに記載のユーザエージェント。
（項目６）
前記プロセッサは、
要求した後、第２のプリアンブルを前記中継ノードのうちの１つに伝送することと、
その後、前記ユーザエージェントを該中継ノードのうちの１つに連結することと
を行うようにさらに構成される、項目１〜５のいずれかに記載のユーザエージェント。
（項目７）
前記第２のプリアンブルは、前記アクセスノードによって割り当てられる、専用プリアンブルである、項目６に記載のユーザエージェント。
（項目８）
前記プリアンブルは、プリアンブルの複数のカテゴリのうちの１つに属し、プリアンブルの第１のカテゴリは、前記アクセスノードへの伝送専用であるプリアンブルを含む、項目１〜７のいずれかに記載のユーザエージェント。
（項目９）
ユーザエージェントに実装される方法であって、
プリアンブルをランダムアクセスチャネル（ＲＡＣＨ）上でアクセスノードに伝送することと、
該アクセスノードに連結することと、
メッセージを該アクセスノードに伝送することであって、該メッセージは、該ユーザエージェントが転送され得る１つ以上の中継ノードの識別子を含む、ことと、
該アクセスノードに、該ユーザエージェントを該中継ノードのうちの１つにハンドオーバすることを要求することと、
を含む、方法。
（項目１０）
前記メッセージは、測定報告メッセージと異なる新しい無線リソース制御メッセージを含む、項目９に記載の方法。
（項目１１）
要求後、第２のプリアンブルを前記中継ノードのうちの１つに伝送することと、
その後、前記ユーザエージェントを該中継ノードのうちの１つに連結することと
をさらに含む、項目９または１０に記載の方法。
（項目１２）
前記第２のプリアンブルは、前記アクセスノードによって割り当てられる専用プリアンブルである、項目１１に記載の方法。
（項目１３）
前記プリアンブルは、プリアンブルの複数のカテゴリのうちの１つに属し、プリアンブルの第１のカテゴリは、前記アクセスノードへの伝送専用であるプリアンブルを含む、項目９から１２のいずれかに記載の方法。
（項目１４）
アクセスノードであって、
プリアンブルをランダムアクセスチャネル（ＲＡＣＨ）上でユーザエージェントから受信することと、該ユーザエージェントの該アクセスノードへの連結を促進することとを行うように構成されるプロセッサを備え、該プロセッサは、メッセージを該ユーザエージェントから受信するようにさらに構成され、該メッセージは、該ユーザエージェントが転送され得る１つ以上の中継ノードの識別子を含み、該プロセッサは、要求を該ユーザエージェントから受信し、該ユーザエージェントを該中継ノードのうちの１つにハンドオーバするようにさらに構成される、アクセスノード。
（項目１５）
前記メッセージは、前記１つ以上の中継ノードから前記ユーザエージェントに受信される信号の強度を示す少なくとも１つの電力測定をさらに含む、項目１４に記載のアクセスノード。
（項目１６）
前記メッセージは、拡張無線リソース制御（ＲＲＣ）測定報告メッセージをさらに含む、項目１４または１５に記載のアクセスノード。
（項目１７）
前記メッセージは、測定報告メッセージと異なる新しい無線リソース制御メッセージをさらに含む、項目１４から１６のいずれかに記載のアクセスノード。
（項目１８）
前記プロセッサは、
前記ユーザエージェントの前記中継ノードのうちの１つへのハンドオーバを促進するようにさらに構成される、項目１４から１７のいずれかに記載のアクセスノード。
（項目１９）
前記プロセッサは、
専用プリアンブルを前記ユーザエージェントに信号伝達し、前記中継ノードのうちの１つに連結するようにさらに構成される、項目１４から１８のいずれかに記載のアクセスノード。
（項目２０）
前記プリアンブルは、プリアンブルの複数のカテゴリのうちの１つに属し、プリアンブルの第１のカテゴリは、前記アクセスノードによる受信専用であるプリアンブルを備える、項目１９に記載のアクセスノード。
（項目２１）
前記アクセスノードは、
前記プリアンブルの複数のカテゴリを前記第１のカテゴリと、プリアンブルの少なくとも１つの他のカテゴリとに分割するようにさらに構成される、項目２０に記載のアクセスノード。
（項目２２）
前記アクセスノードは、
前記ユーザエージェントの前記中継ノードのうちの１つへのハンドオーバ前に、該中継ノードが前記プリアンブルを受信した報告を該中継ノードから受信するようにさらに構成される、項目１８に記載のアクセスノード。
（項目２３）
アクセスノードに実装される方法であって、
プリアンブルをランダムアクセスチャネル（ＲＡＣＨ）上でユーザエージェントから受信することと、
該ユーザエージェントを該アクセスノードに連結することと、
メッセージを該ユーザエージェントから受信することであって、該メッセージは、該ユーザエージェントが転送され得る１つ以上の中継ノードの識別子を含む、ことと、
要求を該ユーザエージェントから受信し、該ユーザエージェントを該中継ノードのうちの１つにハンドオーバすることと
を含む、方法。
（項目２４）
前記プリアンブルは、プリアンブルの複数のカテゴリのうちの１つに属し、プリアンブルの第１のカテゴリは、前記アクセスノードによる受信専用であるプリアンブルを含み、
該プリアンブルの複数のカテゴリを前記第１のカテゴリと、プリアンブルの少なくとも１つの他のカテゴリとに分割することをさらに含む、項目２３に記載の方法。
（項目２５）
前記アクセスノードは、専用プリアンブルを前記ユーザエージェントに信号伝達し、前記中継ノードのうちの１つに連結する、項目２３または２４に記載の方法。
（項目２６）
中継ノードであって、
プリアンブルをユーザエージェントから受信するように構成されるプロセッサを備え、該プリアンブルは、該ユーザエージェントの一時的ランダムアクセス識別を示し、該プロセッサは、該プリアンブルをアクセスノードに転送するようにさらに構成される、中継ノード。
（項目２７）
前記中継ノードは、ランダムアクセスチャネル（ＲＡＣＨ）を使用して、前記プリアンブルを前記アクセスノードに転送する、項目２６に記載の中継ノード。
（項目２８）
前記中継ノードは、前記一時的ランダムアクセス識別を伴うメッセージを前記アクセスノードに送信することによって、前記プリアンブルを転送する、項目２６または２７に記載の中継ノード。
（項目２９）
前記中継ノードは、
前記ＵＡが前記中継ノードに連結可能であることを判断した連結メッセージを前記アクセスノードから受信することと、
前記ユーザエージェントに、該連結メッセージ転送することであって、該連結メッセージは、該ユーザエージェントに、該中継ノードに連結することを命令するように構成される、ことと
を行うようにさらに構成される、項目２６から２８に記載の中継ノード。
（項目３０）
前記中継ノードは、無線リソース制御（ＲＲＣ）以外のメッセージタイプおよび確認応答方式を使用して、前記プリアンブルを転送するようにさらに構成される、項目２６から２９のいずれかに記載の中継ノード。
（項目３１）
前記中継ノードは、
タイミング整合値を計算することと、
該タイミング整合値を前記アクセスノードに伝送することと
を行うようにさらに構成される、項目２６から３０のいずれかに記載の中継ノード。
（項目３２）
前記中継ノードは、
前記タイミング整合値を前記ユーザエージェントに伝送するようにさらに構成される、項目３１に記載の中継ノード。
（項目３３）
前記中継ノードは、
前記プリアンブルが、プリアンブルの複数のカテゴリのプリアンブルの第１のカテゴリ内にある場合のみ、該プリアンブルを許可するようにさらに構成され、該プリアンブルの第１のカテゴリは、前記中継ノードによって受信されることが意図されるプリアンブルを含む、項目２６に記載の中継ノード。
（項目３４）
前記中継ノードは、
メッセージを前記アクセスノードに伝送するようにさらに構成され、該メッセージは、該中継ノードが前記プリアンブルを受信した表示を含む、項目２６から３３のいずれかに記載の中継ノード。
（項目３５）
前記メッセージは、前記ユーザエージェントの識別をさらに含む、項目３４に記載の中継ノード。
（項目３６）
前記メッセージは、チャネル状態情報をさらに含む、項目３４または項目３５に記載の中継ノード。
（項目３７）
中継ノードに実装される方法であって、
プリアンブルをユーザエージェントから受信することであって、該プリアンブルは、該ユーザエージェントの一時的ランダムアクセス識別を示す、ことと、
該プリアンブルをアクセスノードに転送することと
を含む、方法。
（項目３８）
前記プリアンブルが、プリアンブルの複数のカテゴリのプリアンブルの第１のカテゴリ内にある場合のみ、前記プリアンブルを許可することをさらに備え、該プリアンブルの第１のカテゴリは、前記継ノードによって受信されることが意図されるプリアンブルを備える、項目３７に記載の方法。
（項目３９）
コンピューティングデバイスのプロセッサによって実行可能なコンピュータ読み取り可能命令を格納するコンピュータ読み取り可能媒体であって、該命令は、該デバイスに、項目９から１３、または２３から２５、あるいは３７から３８に記載のいずれかの方法を実装させる、コンピュータ読み取り可能媒体。
【図面の簡単な説明】
【０００８】
【図１】図１は、本開示のある実施形態による、中継ノードを含む、無線通信システムを例証する、略図である。
【図２】図２は、本開示のある実施形態による、アクセスノードおよびユーザエージェントと通信する、中継ノードのブロック図である。
【図３Ａ】図３Ａは、本開示のある実施形態による、ユーザエージェントによって実装される、ユーザエージェントのネットワークへの初期アクセスを例証する、工程図である。
【図３Ｂ】図３Ｂは、本開示のある実施形態による、アクセスノードによって実装される、ユーザエージェントのネットワークへの初期アクセスを例証する、工程図である。
【図３Ｃ】図３Ｃは、本開示のある実施形態による、中継ノードによって実装される、ユーザエージェントのネットワークへの初期アクセスを例証する、工程図である。
【図４】図４は、本開示のいくつかの実施形態を実装するために好適なプロセッサおよび関連構成要素を例証する。
【発明を実施するための形態】
【０００９】
図１は、本開示のある実施形態による、中継ノード１０２を使用する、無線通信システム１００を例証する、略図である。概して、本開示は、無線通信ネットワークにおける中継ノードの使用に関する。無線通信ネットワークの実施例として、ＬＴＥまたはＬＴＥ-アドバンスド（ＬＴＥ-Ａ）ネットワークが挙げられるが、開示および請求される実施形態はすべて、ＬＴＥ-Ａネットワークに実装され得る。中継ノード１０２は、ＵＡ１１０から受信した信号を増幅または反復し、修正された信号をアクセスノード１０６で受信させることが可能である。中継ノード１０２のいくつかの実装では、中継ノード１０２は、データを伴う信号をＵＡ１１０から受信し、次いで、新しい信号を生成し、データをアクセスノード１０６に伝送する。また、中継ノード１０２は、データをアクセスノード１０６から受信し、データをＵＡ１１０に送達可能である。中継ノード１０２は、ＵＡ１１０が、セルのためのアクセスノード１０６と直接通信するのではなく、中継ノード１０２と通信可能であるように、セルのエッジ近傍に設置される場合がある。
【００１０】
無線システムでは、セルは、受信および伝送範囲の地理的面積である。セルは、相互に重複可能である。典型的実施例では、各セルと関連付けられた１つのアクセスノードが存在する。セルのサイズは、周波数帯域、最大伝送電力レベル、およびチャネル条件等の要因によって判定される。中継ノード１０２等の中継ノードを使用して、セル内またはその近傍の範囲を増進させる、あるいはセルの範囲のサイズを拡張させることが可能である。加えて、中継ノード１０２の使用は、ＵＡ１１０がセルのためのアクセスノード１０６と直接通信する場合に使用し得るものより高いデータ速度で、ＵＡ１１０が中継ノード１０２にアクセス可能であるため、セル内の信号のスループットを増進させることが可能である。より高いデータ速度での伝送は、より高いスペクトル効率を生成する。時として、ＵＡ１１０は、アクセスノード１０６へよりも低い電力で、中継ノード１０２に伝送可能である。より低い電力伝送は、より少ないバッテリ電力を消費することによって、ＵＡ１１０に恩恵をもたらす。
【００１１】
中継ノードは、概して、３つのタイプ、すなわち、層１中継ノード、層２中継ノード、および層３中継ノードに分割可能である。層１中継ノードは、本質的に、増幅および若干の遅延以外、任意の修正を伴わずに、伝送を再伝送可能な中継器である。層２中継ノードは、受信した伝送をデコードし、デコーティングの結果を再エンコードし、次いで、再エンコードされたデータを伝送可能である。層３中継ノードは、完全無線リソース制御能力を有することが可能であって、したがって、アクセスノードと同様に機能可能である。中継ノードによって使用される無線リソース制御プロトコルは、アクセスノードによって使用されるものと同一であってもよく、中継ノードは、典型的には、アクセスノードによって使用される、一意のセル識別子を有してもよい。本開示の目的のために、中継ノードは、少なくとも１つのアクセスノード（および、そのアクセスノードと関連付けられたセル）の存在に、電気通信システム内の他の構成要素にアクセスすることを要求するという事実によって、アクセスノードと区別される。例証的実施形態は、主に、層２または層３中継ノードに関係している。したがって、本明細書で使用されるように、用語「中継ノード」は、別途具体的に記述されない限り、層１中継ノードを指さない。
【００１２】
通信システム１００では、無線通信を可能にするリンクは、３つの個別のタイプであると言える。１つ目は、ＵＡ１１０が、中継ノード１０２を経由して、アクセスノード１０６と通信時、ＵＡ１１０と中継ノード１０２との間の通信リンクは、アクセスリンク１０８を介して生じていると言える。２つ目は、中継ノード１０２とアクセスノード１０６との間の通信は、中継リンク１０４を介して生じていると言える。３つ目は、中継ノード１０２を通過せずに、ＵＡ１１０とアクセスノード１０６との間を直接通過する通信は、直接リンク１１２を介して生じていると言える。用語「アクセスリンク」、「中継リンク」、および「直接リンク」は、図１によって説明される意味に従って、本書では使用される。
【００１３】
中継ノードを使用する無線通信システムでは、混乱の問題が生じ得る。例えば、ＵＡは、アクセスノードおよび中継ノードの両方によって受信可能な信号を伝送する。信号が、アクセスノードによって受信および処理され、次いで、中継ノードが、同一信号を処理し、アクセスノードに転送する場合、混乱が生じる可能性がある。
【００１４】
本混乱の問題は、ＵＡがネットワークへの接続を試行する、初期アクセスプロシージャの際に生じ得る。例えば、ＵＡが、接続要求信号を開始し、それらが、アクセスノードおよび中継ノードの両方で受信される場合、アクセスノードおよび中継ノードの両方が、ＵＡの要求を許可するかどうかの混乱が生じる可能性がある。
【００１５】
例証的実施形態は、ＵＡの中継ノードを含むネットワークへの初期アクセスの際のこれらの混乱の懸念の一部を解決する。２つの主要な方法が提示されるが、その他も可能である。１つ目の方法は、ＵＡが、アクセスノードに接続し、次いで、アクセスノードに、ＵＡをＵＡと比較してより良い信号受信強度を有し得る中継ノードにハンドオフすることである。したがって、例証的実施形態は、無線通信システムにおいて、アクセスノードに連結するために、プリアンブルをランダムアクセスチャネル（ＲＡＣＨ）上でアクセスノードに伝送するように構成される、ＵＡを提供する。さらに、ＵＡは、メッセージをアクセスノードに伝送し、メッセージは、ＵＡが転送され得る、１つ以上の中継ノードの識別子を含む。ＵＡは、アクセスノードに、ＵＡを１つ以上の中継ノードのうちの１つの中継ノードにハンドオーバすることを要求する。
【００１６】
２つ目の方法は、ＵＡが接続を所望しないデバイスにおいて混乱を生じさせずに、ＵＡを中継ノードまたはアクセスノードに直接接続させる、デバイスおよび方法を導入することである。本２つ目の方法は、一例証的実施形態では、プリアンブル集合を使用することによって、実装され得る。ＵＡによって送信されるプリアンブルが、中継ノードに属することが既知の特定のプリアンブル集合からの１つである場合、中継ノードは、ＵＡからの連結要求を許可するであろう。しかしながら、これらのプリアンブルは、アクセスノードが、プリアンブル集合と関連付けられた連結または接続プロシージャの一部である、後続メッセージを無視するようなものであってもよい。同様に、ＵＡは、アクセスノードに許可可能な第２のプリアンブル集合を使用して、アクセスノードに直接連結し得るが、第２のプリアンブル集合は、中継ノードによって無視される。
【００１７】
図２は、本開示のある実施形態による、アクセスノード２０２（さらに、「ｅＮＢ」として標識され、例示的アクセスノードを示す）およびＵＡ２０４と通信する、中継ノード２００のブロック図である。これらのデバイスは、図１における対応するデバイスに類似しており、同様に動作する。したがって、例えば、中継ノード２００は、図１における中継ノード１０２であり得、アクセスノード２０２は、図１におけるアクセスノード１０６であり得、ＵＡ２０４は、図１におけるＵＡ１１０であり得る。さらなる背景の提供として、中継ノード２００は、セル２０６内で動作する。図２に示されるように、アクセスノード２０２は、セル２０６外で動作する。しかしながら、アクセスノード２０２は、セル２０６内でも動作し得る。本明細書に説明される例証的実施形態では、ＵＡ２０４は、セル２０６内にある。しかしながら、ＵＡ２０４は、セル２０６外であるが、アクセスノード２０２の範囲内で動作し得る。
【００１８】
ＵＡ２０４のネットワークへの初期アクセスが、どのように機能し得るかの簡単な説明を提供する。ＬＴＥネットワークにおける初期アクセスは、ランダムアクセス（ＲＡ）プロシージャから開始する。用語「初期アクセス」は、ネットワークへのアクセスを得、アクティブ通信を開始する、ＵＡの最初の試行を指す。例えば、初期アクセスは、ＵＡが、「ＲＲＣ＿ＩＤＬＥ」から「ＲＲＣ＿ＣＯＮＮＥＣＴＥＤ」モードに移行する際に生じ得る（それらの用語は、３ＧＰＰ仕様に定義されている）。別の実施例として、初期アクセスはまた、ＵＡが、アップリンクタイミング整合を喪失する際にも生じ得る。
【００１９】
ランダムアクセスプロシージャは、ＵＡが、アップリンク（ＵＬ）ランダムアクセスチャネル（ＲＡＣＨ）を使用し、プリアンブルを中継ノード２００またはアクセスノード２０２等の受信デバイスに送信するステップから開始する。プリアンブルは、エンコードされたビットシーケンスである。
【００２０】
受信デバイスは、プリアンブルのデコードが成功する場合、ＵＡリソースを付与し、アップリンク情報を送信し、ネットワークへの連結を継続することによって、応答する。また、受信デバイスは、ＵＡが、その後続アップリンク伝送を使用すべきタイミングアドバンスを計算する。
【００２１】
次に、例証的実施形態を検討するが、ＵＡによって中継ノードにアクセスするための方法を展開する際、配慮が必要となる。考慮されるべき問題の１つは、層２中継ノードが、無線リソース制御（ＲＲＣ）スタックを有していない場合があることである。別の問題は、プリアンブルが、中継ノード２００等の中継ノードおよびアクセスノード２０２等のアクセスノードの両方によって受信され得ることである。例証的実施形態は、少なくとも２つの方法によって、これらの問題を解決する。第１の方法は、初期アクセスが、アクセスノード２０２と成され、アクセスノード２０２によって、続いて、ＵＡ２０４を中継ノード２００にハンドオーバすることである。第２の方法は、ＵＡ２０４が、直接中継ノード２００に直接連結することである。これらの方法については、以下に詳述される。
【００２２】
第１の方法は、再び、ＵＡ２０４が、アクセスノード２０２との初期アクセスを得、アクセスノード２０２が、ＵＡ２０４を中継ノード２００にハンドオーバすることである。概して、「ＲＲＣ＿ＩＤＬＥ」モードにおけるＵＡが、中継ノードとのネットワーク内にある場合、ＵＡは、望ましくは、１｝ＵＡが、中継ノードが無線伝搬距離近傍および内にあることを「認知」している場合、２）ＵＡが、通信を伝送または受信することを決定する場合、中継ノードにアクセスし得る。また、概して、ＲＲＣ＿ＩＤＬＥモードにおけるＵＡは、ＬＴＥ  ３ＧＰＰ仕様で提供される、セル選択および再選択プロシージャに進むはずである。したがって、ＵＡは、時として、中継ノードからの信号強度を測定することによって、近傍中継ノードの識別を試行し、多くの場合、アクセスノードからのブロードキャストチャネルおよび信号強度を監視するであろう。
【００２３】
例証的実施形態では、プロセスは、ＵＡ２０４が、アクセスノード２０２に連結することを意図して、プリアンブルをランダムアクセスチャネル（ＲＡＣＨ）上で送信するステップから開始する。プリアンブルの選択は重要であって、それについては、以下に詳述される。プリアンブル送信後、ＵＡ２０４は、所定のメッセージシーケンスを交換することによって、アクセスノード２０２への連結のプロセスを完了するであろう。次いで、ＵＡ２０４は、ＲＲＣ＿ＣＯＮＮＥＣＴＥＤモードとなるであろう。
【００２４】
本時点において、ＵＡ２０４は、メッセージをアクセスノード２０２に送信する。メッセージは、ＵＡ２０４が連結し得る候補となるであろう、中継ノード２００等の全中継ノードの識別（ＩＤ）を含む。メッセージは、少なくとも２つの形態をとり得る。１つ目の形態では、メッセージは、無線リソース制御（ＲＲＣ）測定報告メッセージの増補である。別の形態では、メッセージは、ＵＡ２０４とアクセスノード２０２との間で中継ノードＩＤを伝送する目的のために生成される、個別のメッセージであり得る。いずれの場合も、メッセージは、１つ以上の中継ノード候補の電力測定を含むはずである。
【００２５】
事実上、ＵＡ２０４は、候補中継ノードのうちの１つにハンドオーバされることを要求する。本実施例では、ＵＡ２０４は、中継ノード２００にハンドオーバされることを要求する。ＵＡ２０４は、第２のプリアンブルを中継ノード２００に送信することによって、ハンドオーバのプロセスを開始可能である。ＵＡ２０４は、ハンドオーバプロシージャの際、アクセスノード２０２によって、いつどのようにプリアンブルを送信すべきかを命令されてもよい。第２のプリアンブルは、中継ノード２００に、ＵＡ２０４が、データと、可能性として、リソース情報とを中継ノード２００に伝送可能であるように、タイミング整合を達成させる。第２のプリアンブルは、アクセスノード２０２が、中継ノード２００にアクセスするために、ＵＡ２０４に割り当てる、専用プリアンブルであってもよい。また、アクセスノード２０２は、ＵＡ２０４が、中継ノード２００にアクセスするために使用するであろう、専用プリアンブルに関して、中継ノード２００に通知する必要があってもよい。本時点において、アクセスノード２０２は、ＵＡ２０４との通信のための責任を中継ノード２００にハンドオーバする。
【００２６】
別の例証的実施形態では、ＵＡは、所望の中継ノードを選択する。次いで、ＵＡは、要求をアクセスノードに送信する。アクセスノードは、ＵＡからの要求を許可してもよく、またはそうでなくてもよい。アクセスノードが、決定によって、ＵＡに応答する際、アクセスノードはまた、所望の中継ノードとの初期アクセスを行うために使用し得る、専用プリアンブルを示してもよい。一方、アクセスノードは、中継ノードに、ＵＡに示された専用プリアンブルを通知する。このように、ＵＡの中継ノードへの初期アクセスは、より迅速に行われ得る。
【００２７】
したがって、例証的実施形態は、ＵＡ２０４のアクセスノード２０２への初期アクセスの機構を提供し、次いで、ＵＡ２０４は、中継ノード２００にハンドオーバされる。上述のように、別の例証的実施形態では、混乱の問題に対処する第２の方法は、ＵＡ２０４が、中継ノード２００に直接連結することである。本第２の方法については、以下に詳述される。
【００２８】
ＵＡ２０４が、中継ノードドナーセルと称され得る、セル２０６内にあることの識別に成功する場合、ＵＡ２０４は、中継ノード２００への連結を試行することによって、バッテリ寿命および時間を節約可能である。中継ノード２００に連結するために、ＵＡ２０４は、プリアンブルを中継ノード２００に送信するであろう。再び、プリアンブルについては、以下に詳述される。ＵＡ２０４は、通常、中継ノード２００が、アクセスノード２０２または他の中継ノードと比較して、遥かに優れた信号強度を有する場合、プリアンブルを送信するであろう。
【００２９】
中継ノード２００が、プリアンブルを受信すると、中継ノード２００は、２つの方法のうちの１つに従って、典型情報をアクセスノード２０２に転送するであろう。第１の方法では、中継ノード２００は、ＵＡ２０４の識別（ＵＡＩＤ）とともに、第２のプリアンブルをランダムアクセスチャネル（ＲＡＣＨ）上で送信するであろう。本プロシージャは、プリアンブル自体を送信する、ＵＡ２０４とほぼ同一である。第２の方法によると、中継ノード２００は、ＵＡＩＤを伴う別個のメッセージをアクセスノード２０２に送信するであろう。標準的無線リソース制御（ＲＲＣ）スタックが、層２中継ノード上に存在しないため、別個のメッセージは、新しいメッセージタイプおよび確認応答方式を使用してもよい。代わりに、層２中継ノードは、ＵＡＩＤを送信するために必要な標準化メッセージを含む、ＲＲＣスタックの一部を組み込んでもよい。さらに、代わりに、ＲＲＣスタックの一部が、層２中継ノードに組み込まれてもよく、また、標準メッセージを変更し、ＵＡＩＤを通信可能である。
【００３０】
いずれの場合も、ネットワークに連結するための無線リソース制御メッセージは、アクセスノード２０２によってもたらされるであろう。アクセスノード２０２は、中継ノード２００を通して、連結メッセージを送信することによって、応答するであろう。中継ノード２００は、タイミング整合を測定するであろう。次いで、中継ノード２００は、タイミング整合情報をアクセスノード２０２に提供する、またはＵＡに伝送されるダウンリンクメッセージ内のタイミング整合情報を挿入するであろう（タイミング整合が挿入されることを要求または所望するそれらのメッセージの場合）。
【００３１】
例証的実施形態では、ＵＡが、利用可能なビーム操向またはビーム形成技術を有する場合、ＵＡ２０４は、信号を中継ノード２００に向かって操向可能である。信号を操向することによって、アクセスノード２０２による傍受の可能性を生じにくくし、したがって、望ましくない混乱の確率を低減させるであろう。信号を操向することによって、無関係なアクセスノードによる傍受を可能にし得る。しかしながら、ランダムアクセスプリアンブルは、認知されており、無関係なアクセスノードと衝突するであろう。本衝突のため、無関係なアクセスノードは、操向された信号を無視するであろう。
【００３２】
したがって、例証的実施形態は、ＵＡ２０４の中継ノード２００、特に、層２中継ノードへの初期アクセスの少なくとも２つの方法を提供する。上述の２つの方法の説明において述べたように、プリアンブルの選択および伝送は、重要となり得る。例えば、プリアンブルをアップリンク上で送信する際に遭遇し得る厄介な問題は、アクセスノードおよび近傍中継ノードが、プリアンブルを検出可能である場合があることである。したがって、以下の説明は、ＵＡ２０４、中継ノード２００、およびアクセスノード２０２間で通信されるプリアンブルを巡る問題に関する。
【００３３】
中継ノード２００およびアクセスノード２０２の両方によるプリアンブルの検出は、ＵＡ２０４が、多くの場合、アクセスノード２０２より中継ノード２００に近接するため、一般的である場合がある。プリアンブルは、媒体アクセス制御（ＭＡＣ）プロトコルの一部であって、中継ノードは、媒体アクセス制御能力を有するため、中継ノードは、プリアンブルを認知し、アクセスプロセスに応答しようとするであろう。しかしながら、アクセスノード２０２もまた、プリアンブルに対して、アクセスプロセスで応答しようとするだろう。
【００３４】
本潜在的混乱は、少なくとも２つの方法を使用して対処可能である。第１の方法では、中継ノード２００へのアクセスの試行の際、専用プリアンブルまたは専用プリアンブルサブ集合が使用される。第２の方法では、アクセスノード２０２は、アクセスノード２０２が、中継ノード２００を待機し、プリアンブルの受信を報告するよう、特殊化挙動を有するようにプログラムされる。プリアンブルの受信の報告が、設定時間内に生じない場合、アクセスノード２０２は、中継ノード２００が、プリアンブルを受信せず、アクセスプロシージャを正常に完了しなかったと仮定するであろう。
【００３５】
最初に、専用プリアンブルまたは専用プリアンブルサブ集合を使用する方法について説明する。プリアンブルの目的の１つは、ＵＡ２０４の一時的ランダムアクセス識別を示すことである。ＬＴＥ  ３ＧＰＰ仕様の第８版における例証的実施形態では、セル２０６等のセル内に６４のプリアンブルが存在する。所与のランダムアクセスの試行が、中継ノード２００またはアクセスノード２０２に対して意図されているかどうかに関する混乱を緩和するために、これらの６４のプリアンブルは、２つ以上の群に分離可能である。ＵＡ２０４は、アクセスノード２０２および中継ノード２００に、所与のランダムアクセスの試行が、所与のデバイスに対して意図されていることを認知させる、プリアンブル群を使用可能である。したがって、例えば、プリアンブルの第１の群が、中継ノード２００へのアクセスのために使用される場合、中継ノード２００は、第１の群内のプリアンブルを許可し、第２の群内のプリアンブルを無視するであろう。同様に、プリアンブルの第２の群が、アクセスノード２０２へのアクセスのために使用される場合、アクセスノード２０２は、第２の群内のプリアンブルを許可し、第１の群内のプリアンブルを無視するであろう。
【００３６】
本プリアンブルの分割は、アクセスノード２０２によって行うことが可能である。アクセスノード２０２は、プリアンブルがどのように分割されるかに関して、ＵＡ２０４および中継ノード２００の両方に信号伝達可能である。したがって、ＵＡ２０４および中継ノード２００は、どのプリアンブル集合を中継ノード２００に適用し、どのプリアンブル集合をアクセスノード２０２に適用するかを認知するであろう。
【００３７】
したがって、例証的実施形態は、専用プリアンブルを使用することによって、ランダムアクセスプロシージャの際、混乱を回避する方法を提供する。混乱を回避する別の方法では、アクセスノード２０２は、アクセスノード２０２が、中継ノード２００を待機し、プリアンブルの受信を報告するよう、特殊化挙動を有するようにプログラムされる。
【００３８】
具体的には、アクセスノード２０２が、プリアンブルを受信する場合、アクセスノード２０２は、ある時間、例えば、数ミリ秒またはサブフレームだけ、ＵＡ２０４への応答を遅延可能であるが、異なる遅延時間もプログラム可能である。本遅延によって、中継ノード２００は、アクセスノード２０２に、中継ノード２００もプリアンブルを受信したことを警告可能となる。警告は、ＵＡの識別等の情報と、恐らく、アクセスノード２０２が、ＵＡ２０４への伝送の変調および符号化方式（ＭＣＳ）を制御している場合、チャネル状態情報とを含む、別個の単純メッセージの形態をとることが可能である。ランダムアクセスプロシージャの開始時、プリアンブルの確認応答を遅延させることによって、アクセスノード２０２と中継ノード２００との間の混乱が回避され得る。
【００３９】
アクセスノード２０２が、プリアンブルを受信するが、中継ノード２００から通知を受信しない場合、アクセスノード２０２は、アクセスプロセスを正常に完了するであろう。アクセスノード２０２が通知を受信しないであろう理由の１つは、中継ノード２００が、プリアンブルを受信したが、プリアンブルを無視したということである。中継ノード２００は、プリアンブルが、明確に初期アクセス専用であるため、プリアンブルを無視し得る。中継ノード２００が、プリアンブルを受信し、アクセスノード２０２に通知する、または通知しない場合、中継ノード２００は、プリアンブルを使用して、ＵＡ２０４との通信を可能にするために、タイミング整合を達成可能である。
【００４０】
アクセスノード２０２が、中継ノード２００から受信し得る応答の１つは、中継ノード２００が、プリアンブルを受信したが、中継ノード２００が、ＵＡ２０４を中継ノード２００に連結しようとしないことである。アクセスノード２０２は、通常、ＵＡの許可制御を処理するが、中継ノード２００が、ＵＡを許可する際、従わなければならない規則が存在してもよい。
【００４１】
アクセスノード２０２が、中継ノード２００から通知を受信する場合、アクセスノード２０２は、中継ノード２００を通して、メッセージをＵＡ２０４に送信する、またはメッセージをＵＡ２０４に直接送信することによって、アクセスプロセスを完了してもよい。メッセージが、ＵＡ２０４に直接向かう場合、アクセスノード２０２は、上述のように、プロシージャに進み、ＵＡ２０４は、最終的に、中継ノード２００にハンドオーバされるであろう。アクセスノード２０２は、ＵＡ２０４が、ある時間後、応答を受信しない場合、ＵＡ２０４がプリアンブルを再送信することを認知するであろう。アクセスノード２０２は、ＵＡ２０４がプリアンブルを再送信する前に、応答が行われるようにするであろう。
【００４２】
上述のデバイスおよび方法は、特に、層２中継ノードの使用に関する、無線通信におけるランダムアクセスプロシージャに関連する。次に、アクセス後プロシージャについて論じる。
【００４３】
例証的実施形態では、ＵＡ２０４は、ＵＡ２０４がＲＲＣ＿ＣＯＮＮＥＣＴＥＤモードにある時、ランダムアクセスとのアップリンクタイミング整合（ＵＬ  ＴＡ）を維持するであろう。タイミング整合は、最初、ランダムアクセスプロシージャの際に得られる。ＵＡ２０４は、発音基準信号（ＳＲＳ）を送信し、タイミング整合を維持する。ＳＲＳパターンの構成は、アクセスノード２０２によって決定され、順に、中継ノード２００にＳＲＳパターンを通知され。構成は、少なくとも、ホッピングパターンおよび反復回数を含み、どの副搬送波を使用すべきかを伝達し得る。
【００４４】
中継ノード２００に連結されていないセル２０６を伴う他のＵＡからの発音基準信号の干渉に関して、問題が生じる可能性がある。しかしながら、これらのＵＡは、アクセスノード２０２によって認知されるであろう。したがって、アクセスノード２０２は、適切なパターンを判定し、干渉を回避可能である。
【００４５】
さらに、アクセスノード２０２は、中継ノード２００に利用不可能であるリソースブロック（ＲＢ）を使用するために、中継ノード２００（または、他の中継ノード）を使用せずに、他のＵＡをスケジューリングするはずである。したがって、中継ノード２００は、より少ないトラフィックを処理し、より小さい有効帯域幅を有することが可能である。アクセスノード２０２と通信するＵＡは、中継ノード２００によって利用不可能であるリソースブロックを使用可能である。例えば、２０ＭＨｚ幅のセルは、内側５ＭＨｚを中継ノード２００に充て、その外側にあるリソースブロックを、アクセスノード２０２と直接通信し得る他のＵＡに充て得る。
【００４６】
図３Ａは、本開示のある実施形態による、ＵＡによって実装される、ＵＡのネットワークへの初期アクセスを例証する、工程図である。本プロセスを実装可能なＵＡの実施例は、図１のＵＡ１１０または図２のＵＡ２０４であり得る。図３Ａに示されるプロセスは、図２に関して説明されるデバイスおよび方法を使用して、実装可能である。
【００４７】
プロセスは、ＵＡが、プリアンブルをランダムアクセスチャネル上でアクセスノードに伝送するのに伴って開始する（ブロック３００Ａ）。例証的実施形態では、プリアンブルは、プリアンブルの複数のカテゴリのうちの１つに属する。プリアンブルの第１のカテゴリは、アクセスノードへの伝送専用である、それらのプリアンブルを備え得る。プリアンブルの第２のカテゴリは、中継ノードへの伝送専用である、それらのプリアンブルを備え得る。
【００４８】
次いで、ＵＡは、アクセスノードに連結する（ブロック３０２Ａ）。次いで、ＵＡは、１つ以上の中継ノードからの信号を測定することによって、１つ以上の中継ノードを識別する（ブロック３０４Ａ）。例証的実施形態では、信号を測定するステップは、信号の電力測定を測定するステップを備える。
【００４９】
ＵＡは、メッセージをアクセスノードに伝送し、メッセージは、ＵＡが転送され得る、１つ以上の中継ノードの識別子を含む（ブロック３０６Ａ）。例証的実施形態では、メッセージは、拡張無線リソース制御（ＲＲＣ）測定報告メッセージを備える。しかしながら、別の例証的実施形態では、メッセージは、測定報告メッセージと異なる新しい無線リソース制御メッセージである。
【００５０】
ＵＡは、アクセスノードに、ＵＡを１つ以上の中継ノードのうちの１つの中継ノードにハンドオーバすることを要求する（ブロック３０８Ａ）。ＵＡは、第２のプリアンブルをその１つの中継ノードに伝送する（ブロック３１０Ａ）。次いで、ＵＡは、その１つの中継ノードに連結する（ブロック３１２Ａ）。その後、プロセスは、終了する。
【００５１】
図３Ｂは、本開示のある実施形態による、アクセスノードによって実装される、ＵＡのネットワークへの初期アクセスを例証する、工程図である。本プロセスを実装可能なアクセスノードの実施例は、図１のアクセスノード１０６または図２のアクセスノード２０２であり得る。図３Ｂに示されるプロセスは、図２に関して説明されるデバイスおよび方法を使用して、実装可能である。
【００５２】
プロセスは、アクセスノードが、プリアンブルをランダムアクセスチャネル上でＵＡから受信するのに伴って開始する（ブロック３００Ｂ）。例証的実施形態では、プリアンブルは、プリアンブルの複数のカテゴリのうちの１つに属し、プリアンブルの第１のカテゴリは、アクセスノードによる受信専用である、それらのプリアンブルを備える。本例証的実施形態では、アクセスノードは、プリアンブルの複数のカテゴリをプリアンブルの第１のカテゴリおよび少なくとも１つの他のカテゴリに分割するようにさらに構成可能である。アクセスノードが、プリアンブルのカテゴリの分割を制御するかどうかに関わらず、アクセスノードは、ＵＡをアクセスノードに連結する（ブロック３０２Ｂ）。
【００５３】
例証的実施形態では、アクセスノードは、メッセージをＵＡから受信し、メッセージは、ＵＡが転送され得る、１つ以上の中継ノードの識別子を含む（ブロック３０４Ｂ）。例証的実施形態では、メッセージは、１つ以上の中継ノードからＵＡに受信される、信号の強度を示す、少なくとも１つの電力測定を含む。メッセージは、拡張無線リソース制御（ＲＲＣ）測定報告メッセージを備え得る。別の例証的実施形態では、メッセージは、測定報告メッセージと異なる新しい無線リソース制御メッセージを備え得る。別の例証的実施形態では、アクセスノードは、中継ノードから、中継ノードがプリアンブルを受信した報告を受信可能である。
【００５４】
アクセスノードは、ＵＡから、ＵＡを１つ以上の中継ノードのうちの１つの中継ノードにハンドオーバする要求を受信する（ブロック３０６Ｂ）。次いで、アクセスノードは、ＵＡをその１つの中継ノードにハンドオーバする（ブロック３０８Ｂ）。その後、プロセスは、終了する。
【００５５】
図３Ｃは、本開示のある実施形態による、中継ノードによって実装される、ＵＡのネットワークへの初期アクセスを例証する、工程図である。本プロセスを実装可能な中継ノードの実施例は、図１の中継ノード１０２または図２の中継ノード２００であり得る。図３Ｃに示されるプロセスは、図２に関して説明されたデバイスおよび方法を使用して、実装可能である。
【００５６】
プロセスは、中継ノードが、プリアンブルをＵＡから受信するのに伴って開始し、プリアンブルは、ＵＡの一時的ランダムアクセス識別を示す（ブロック３００Ｃ）。次いで、中継ノードは、プリアンブルをアクセスノードに転送する（３０２Ｃ）。転送は、ランダムアクセスチャネル（ＲＡＣＨ）を使用することによって、または一時的ランダムアクセス識別を伴うメッセージをアクセスノードに送信することによって、達成可能である。例証的実施形態では、プリアンブルは、無線リソース制御（ＲＲＣ）以外のメッセージタイプおよび確認応答方式を使用して、転送可能である。
【００５７】
中継ノードは、連結メッセージをアクセスノードから受信する（ブロック３０４Ｃ）。次いで、中継ノードは、連結メッセージをＵＡに転送し、連結メッセージは、ＵＡに中継ノードに連結することを命令するように構成される（ブロック３０６Ｃ）。次いで、中継ノードは、ＵＡを中継ノードに連結する（ブロック３０８Ｃ）。その後、プロセスは、終了する。
【００５８】
別の例証的実施形態では、中継ノードは、タイミング整合を測定し、次いで、タイミング整合をアクセスノードに伝送するように構成可能である。また、タイミング整合は、ＵＡにも伝送可能である。
【００５９】
別の例証的実施形態では、中継ノードは、プリアンブルが、プリアンブルの複数のカテゴリのプリアンブルの第１のカテゴリ内にある場合のみ、プリアンブルを許可するようにさらに構成可能である。プリアンブルの第１のカテゴリは、中継ノードによって受信されることが意図される、それらのプリアンブルを備える。例証的実施形態では、プリアンブルの第２のカテゴリは、アクセスノードによって受信されることが意図される、それらのプリアンブルを備える。
【００６０】
別の例証的実施形態では、中継ノードは、メッセージをアクセスノードに伝送するようにさらに構成可能であって、メッセージは、中継ノードがプリアンブルを受信した表示を含む。メッセージは、ＵＡの識別および／またはチャネル状態情報を含み得る。
【００６１】
ＵＡ１１０および上述の他の構成要素は、上述の作用に関連する命令を実行可能である、処理構成要を含む場合がある。図４は、本明細書に開示される１つ以上の実施形態を実装するために好適案処理構成要素１３１０を含む、システム１３００の実施例を例証する。プロセッサ１３１０（中央処理装置またはＣＰＵと称され得る）に加え、システム１３００は、ネットワーク接続デバイス１３２０、ランダムアクセスメモリ（ＲＡＭ）１３３０、読取専用メモリ（ＲＯＭ）１３４０、二次記憶装置１３５０、および入／出力（Ｉ／Ｏ）デバイス１３６０を含む場合がある。これらの構成要素は、バス１３７０を経由して、相互に通信する場合がある。ある場合には、これらの構成要素のうちのいくつかは、存在しなくてもよく、または相互または図示されない他の構成要素との種々の組み合わせにおいて組み合わせされてもよい。これらの構成要素は、単一の物理的エンティティまたは２つ以上の物理的エンティティ内に位置する場合がある。プロセッサ１３１０によって行われる、本明細書に説明される任意の作用は、プロセッサ１３１０単独によって、あるいはデジタル信号プロセッサ（ＤＳＰ）５０２等の図面に図示される、または図示されない、１つ以上の構成要素と併せて、プロセッサ１３１０によって、行われる場合がある。ＤＳＰ５０２は、別個の構成要素として示されるが、ＤＳＰ５０２は、プロセッサ１３１０内に組み込まれる場合がある。
【００６２】
プロセッサ１３１０は、ネットワーク接続デバイス１３２０、ＲＡＭ１３３０、ＲＯＭ１３４０、または二次記憶装置１３５０（ハードディスク、フロッピー（登録商標）ディスク、または光ディスク等の種々のディスクベースのシステムを含む場合がある）からアクセスし得る、命令、コード、コンピュータプログラム、あるいはスクリプトを実行する。１つのＣＰＵ１３１０のみ示されるが、複数のプロセッサが存在してもよい。したがって、命令は、プロセッサによって実装されるように論じられ得るが、命令は、１つまたは複数のプロセッサによって、同時に、連続的に、または別様に実行されてもよい。プロセッサ１３１０は、１つ以上のＣＰＵチップとして実装されてもよい。
【００６３】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバー分散データインタフェース（ＦＤＤＩ）デバイス、無線ローカルエリアネットワーク（ＷＬＡＮ）デバイス、符号分割多重アクセス方式（ＣＤＭＡ）デバイス等の無線送受信機デバイス、グローバル・システム・フォー・モバイル・コミュニケーションズ（ＧＳＭ）無線送受信機デバイス、ワイマックス（ＷｉＭＡＸ）デバイス、および／またはネットワークに接続するための他の周知のデバイスの形態をとってもよい。これらのネットワーク接続デバイス１３２０によって、プロセッサ１３１０は、プロセッサ１３１０が情報を受信する、またはプロセッサ１３１０が情報を出力し得る、インターネットまたは１つ以上の電気通信ネットワークまたは他のネットワークと通信可能となり得る。また、ネットワーク接続デバイス１３２０は、データを無線で伝送および／または受信可能な１つ以上の送受信機構成要素１３２５を含む場合がある。
【００６４】
ＲＡＭ１３３０は、揮発性データと、恐らく、プロセッサ１３１０によって実行される命令とを格納するために使用される場合がある。ＲＯＭ１３４０は、典型的には、二次記憶装置１３５０のメモリ容量より小さいメモリ容量を有する、不揮発性メモリデバイスである。ＲＯＭ１３４０は、命令と、恐らく、命令の実行の際に読み取られるデータとを格納するために使用される場合がある。ＲＡＭ１３３０およびＲＯＭ１３４０の両方へのアクセスは、典型的には、二次記憶装置１３５０へよりも高速である。二次記憶装置１３５０は、典型的には、１つ以上のディスクドライプまたはテープドライブから構成され、データの不揮発性記憶のため、またはＲＡＭ１３３０が、全作業データを保持するために十分な大きさではない場合、オーバーフローデータ記憶デバイスとして、使用される場合がある。二次記憶装置１３５０は、プログラムが、実行のために選択されると、ＲＡＭ１３３０にロードされる、そのようなプログラムを記憶するために使用されてもよい。
【００６５】
Ｉ／Ｏデバイス１３６０は、液晶ディスプレイ（ＬＣＤ）、タッチスクリーンディスプレイ、キーボード、スイッチ、ダイヤル、マウス、トラックボール、音声認識装置、カードリーダ、ペーパーテープリーダ、プリンタ、ビデオもにた、または他の周知の入力デバイスを含んでもよい。また、送受信機１３２５は、ネットワーク接続デバイス１３２０の構成要素の代わりに、またはそれに加えて、Ｉ／Ｏデバイス１３６０の構成要素であると見なされる場合がある。
【００６６】
以下は、あらゆる目的のために、参照することによって本明細書に組み込まれる。第３世代パートナーシッププロジェクト（３ＧＰＰ）技術仕様（ＴＳ）３６．８１３および３ＧＰＰ  ＴＳ  ３６．８１４。
【００６７】
したがって、例証的実施形態は、ＵＡを提供する。ＵＡは、プリアンブルをランダムアクセスチャネル（ＲＡＣＨ）上でアクセスノードに伝送するように構成され、その後、ＵＡをアクセスノードに連結し、その後、メッセージをアクセスノードに伝送し（メッセージは、ＵＡが転送され得る、１つ以上の中継ノードの識別子を含む）、アクセスノードに、ＵＡを１つ以上の中継ノードのうちの１つの中継ノードにハンドオーバすることを要求する。
【００６８】
また、例証的実施形態は、アクセスノードを提供する。アクセスノードは、プリアンブルをランダムアクセスチャネル（ＲＡＣＨ）上でＵＡから受信し、その後、ＵＡをアクセスノードに連結し、その後、メッセージをＵＡから受信し（メッセージは、ＵＡが転送され得る、１つ以上の中継ノードの識別子を含む）、ＵＡから、ＵＡを１つ以上の中継ノードのうちの１つの中継ノードにハンドオーバする要求を受信するように構成される。
【００６９】
また、例証的実施形態は、中継ノードを提供する。中継ノードは、プリアンブルをＵＡから受信し（プリアンブルは、ＵＡの一時的ランダムアクセス識別を示す）、プリアンブルをアクセスノードに転送するように構成される。
【００７０】
いくつかの実施形態が、本開示に提供されたが、開示されるシステムおよび方法は、本開示の精神または範囲から逸脱することなく、多くの他の特定の形態において具現化されてもよいことを理解されたい。本実施例は、制限ではなく、例証として見なされ、本明細書に与えられる詳細に限定されないことが意図される。例えば、種々の要素または構成要素は、組み合わせられる、または別のシステムに統合されてもよく、あるいはある特徴は、省略される、または実装されなくてもよい。
【００７１】
また、個別または別個として、種々の実施形態に説明および例証される、技術、システム、サブシステム、ならびに方法は、本開示の範囲から逸脱することなく、他のシステム、モジュール、技術、または方法と組み合わせられる、あるいは統合されてもよい。結合される、または直接結合される、あるいは相互に通信するように示される、もしくは論じられる、他のアイテムは、電気的に、機械的に、または別様にかにかかわらず、いくつかのインターフェース、デバイス、あるいは中間構成要素を通して、間接的に結合される、もしくは通信してもよい。変更、代用、および改変の他の実施例も、当業者によって究明可能であって、本明細書に開示される精神および範囲から逸脱することなく、成され得る。
【図１】
0005303654.tif 000002
【図２】
0005303654.tif 000003
【図３Ａ】
0005303654.tif 000004
【図３Ｂ】
0005303654.tif 000005
【図３Ｃ】
0005303654.tif 000006
【図４】
0005303654.tif 000007